(57)【要約】      （修正有）【課題】加工機の作業時に必要な潤滑油の装置であって、油路ブロッキング検出、油路ブロッキング除去等の機能を有する油供給装置を提供する。【解決手段】注油機１と、給油部２１と、複数の油室２２１と、複数のブロッキング検出器２３と、処理モジュール２４とを有している検出器２であって、検出器は給油部を介して注油機に連結し、給油部は複数の油室に連通し、複数のブロッキング検出器は処理モジュールに電気的に接続し、複数のブロッキング検出器は各油室及び油輸送状態をそれぞれ検出するために用い、処理モジュールは複数のブロッキング検出器が検出した結果に基づいて各油室内の油が正確に輸送されているか否かを判断する。【選択図】図１
0003232121.tif 000002
【実用新案登録請求の範囲】
【請求項１】
注油機と、
給油部と、複数の油室と、複数のブロッキング検出器と、処理モジュールとを有している検出器であって、前記検出器は前記給油部を介して前記注油機に連結し、前記給油部は前記複数の油室に連通し、前記複数のブロッキング検出器は前記処理モジュールに電気的に接続し、前記複数のブロッキング検出器は各油室及び油輸送状態をそれぞれ検出するために用い、前記処理モジュールは前記複数のブロッキング検出器が検出した結果に基づいて各油室内の油が正確に輸送されているか否かを判断する検出器と、を備えていることを特徴とする油供給装置。
【請求項２】
各油室に連結しているブロッキング除去セットをさらに備え、前記ブロッキング除去セットは前記処理モジュールに接続し、前記処理モジュールが何れか１室の油室内の油が正確に輸送されていないと判断すると、前記処理モジュールが前記ブロッキング除去セットに動作するように命令することを特徴とする請求項１に記載の油供給装置。
【請求項３】
前記ブロッキング除去セットはエアコンプレッサー及びコネクタを備え、前記コネクタは複数の吸気口及び複数の油路を有し、前記複数の吸気口は各複数の油路との間に逆止め弁をそれぞれ設置し、各油路の一端は前記検出器の各油室にそれぞれ連通し、各油路の他端はそれぞれ給油口であることを特徴とする請求項２に記載の油供給装置。
【請求項４】
前記検出器はケース及び複数のバルブヘッドを有している容積式分配器を備え、前記複数の油室は前記ケースにそれぞれ位置し、前記複数のバルブヘッドは前記ケースに設置していると共に前記複数の油室にそれぞれ連結し、各バルブヘッドはバルブステムを有し、各バルブステムは油室の給油及び排油に対応して伸縮し、前記複数のブロッキング検出器はバルブステムの延出に対応する位置にそれぞれ位置し、対応するバルブステムの伸縮頻度を検出することを特徴とする請求項１に記載の油供給装置。
【請求項５】
前記処理モジュールには、前記検出器の各油室内の油が正確に輸送されているか否かを表示するためのディスプレイを電気的に接続していることを特徴とする請求項１に記載の油供給装置。
【請求項６】
前記処理モジュールにはブザーを電気的に接続し、前記処理モジュールが何れか１室の油室内の油が正確に輸送されていないと判断した場合、前記処理モジュールが前記ブザーに動作するように命令することを特徴とする請求項１に記載の油供給装置。
【請求項７】
前記処理モジュールにはワイヤレス送信機を電気的に接続し、前記処理モジュールが何れか１室の油室内の油が正確に輸送されていないと判断した場合、前記処理モジュールが前記ワイヤレス送信機にブロッキングメッセージ信号を発信するように命令することを特徴とする請求項１に記載の油供給装置。
【請求項８】
注油機と、
エアコンプレッサー及びコネクタを含み、前記コネクタは複数の吸気口及び複数の油路を有し、前記複数の吸気口は各複数の油路との間に逆止め弁をそれぞれ設置し、各油路の一端は前記注油機にそれぞれ連結し、各油路の他端はそれぞれ給油口であるブロッキング除去セットと、を備えていることを特徴とする油供給装置。
【請求項９】
前記注油機及び前記ブロッキング除去セットは検出器を介して連結し、前記検出器は給油部と、複数の油室と、複数のブロッキング検出器と、処理モジュールとを有し、前記検出器は前記給油部を介して前記注油機に連結し、前記給油部は前記複数の油室に連通し、前記複数のブロッキング検出器は前記処理モジュールに電気的に接続し、前記複数のブロッキング検出器は各油室の油輸送状態をそれぞれ検出するために用い、前記処理モジュールは前記複数のブロッキング検出器が検出した結果に基づいて各油室内の油が正確に輸送されているか否かを判断し、前記ブロッキング除去セットは各油室に連結し、前記ブロッキング除去セットは前記処理モジュールに接続し、前記処理モジュールが何れか１室の油室内の油が正確に輸送されていないと判断した場合、前記処理モジュールは前記ブロッキング除去セットに動作するように命令することを特徴とする請求項８に記載の油供給装置。
【請求項１０】
前記検出器はケース及び複数のバルブヘッドを有している容積式分配器を備え、前記複数の油室は前記ケースにそれぞれ位置し、前記複数のバルブヘッドは前記ケースに設置していると共に前記複数の油室にそれぞれ連結し、各バルブヘッドはバルブステムを有し、各バルブステムは油室の給油及び排油に対応して伸縮し、前記複数のブロッキング検出器はバルブステムの延出に対応する位置にそれぞれ位置し、対応するバルブステムの伸縮頻度を検出することを特徴とする請求項９に記載の油供給装置。
【請求項１１】
前記処理モジュールには、前記検出器の各油室内の油が正確に輸送されているか否かを表示するためのディスプレイを電気的に接続していることを特徴とする請求項９に記載の油供給装置。
【請求項１２】
前記処理モジュールにはブザーを電気的に接続し、前記処理モジュールが何れか１室の油室内の油が正確に輸送されていないと判断した場合、前記処理モジュールは前記ブザーに動作するように命令することを特徴とする請求項９に記載の油供給装置。
【請求項１３】
前記処理モジュールにはワイヤレス送信機を電気的に接続し、前記処理モジュールが何れか１室の油室内の油が正確に輸送されていないと判断した場合、前記処理モジュールは前記ワイヤレス送信機にブロッキングメッセージ信号を発信するように命令することを特徴とする請求項９に記載の油供給装置。
【考案の詳細な説明】
【技術分野】
【０００１】
本考案は、加工機の作業時に必要な潤滑油の装置であり、油路ブロッキング検出、油路ブロッキング除去等の機能を有している油供給装置に関する。
【背景技術】
【０００２】
潤滑油は加工機にとって必要不可欠な補助品であり、現在市場によくある油供給手段では注油機を利用している。
【考案の概要】
【考案が解決しようとする課題】
【０００３】
油路内に空気が入ると、注油機の動作後に噴出する潤滑油にも空気が混ざってしまい、予期した量の潤滑油を噴出できなくなり、加工機の動作にも影響を及ぼすため、注油機により潤滑油を持続的に安定的に供給することは容易ではなかった。
【０００４】
しかしながら、油路に空気が含まれる問題よりも深刻な問題は、油路のブロッキング問題であった。油路が塞がれると、注油機が動作していても潤滑油を加工機にスムーズに噴出できなくなる。また、油路がブロッキングされても注油機の動作を停止させることはなく、加工機もすぐには異常が生じないが、一般的には加工品に大量に連続的に異常が発生する段階になって油路ブロッキングが発見されるため、加工機を停止し、油路を１本１本検査してブロッキング箇所を見つけ出してブロッキングを除去しなければならなくなった。
【０００５】
そこで、本考案者は上記の欠点が改善可能と考え、鋭意検討を重ねた結果、合理的設計で上記の課題を効果的に改善する本考案の提案に至った。
【０００６】
本考案は前記技術的課題に鑑みて開発されたものであり、油供給装置を提供することを目的とする。
【０００７】
また、上述の問題を解決するために、本考案には２種類の実施例がある。１つは検出器を注油機と組み合わせて使用し、検出器により第一時間に油路のブロッキングを検出することで、従来は油路にブロッキングが発生しても第一時間に発見できなかったという問題を解決する。もう１つはブロッキング除去セットを注油機と組み合わせて使用し、油路ブロッキングを発見した際に、加工機を停止させずに第一時間にブロッキング除去セットを起動して油路のブロッキングを除去し、油路にブロッキングが発生した際に加工機を停止して検査しなければ油路ブロッキングを除去できなかったという問題を解決する。
【課題を解決するための手段】
【０００８】
上記課題を解決するために、本考案のある態様の油供給装置は、
注油機と、
給油部と、複数の油室と、複数のブロッキング検出器と、処理モジュールとを有している検出器であって、前記検出器は前記給油部を介して前記注油機に連結し、前記給油部は前記複数の油室に連通し、前記複数のブロッキング検出器は前記処理モジュールに電気的に接続し、前記複数のブロッキング検出器は各油室及び油輸送状態をそれぞれ検出するために用い、前記処理モジュールは前記複数のブロッキング検出器が検出した結果に基づいて各油室内の油が正確に輸送されているか否かを判断することと、を備えている。
【０００９】
また、本考案の別の態様は、油供給装置である。この装置は、
注油機と、
エアコンプレッサー及びコネクタを含み、前記コネクタは複数の吸気口及び複数の油路を有し、前記複数の吸気口は各複数の油路との間に逆止め弁をそれぞれ設置し、各油路の一端は前記注油機にそれぞれ連結し、各油路の他端はそれぞれ給油口であるブロッキング除去セットと、を備えている。
【００１０】
本明細書及び図面の記載により、少なくとも、以下の事項が明らかとなる。
【図面の簡単な説明】
【００１１】
【図１】本考案の一実施形態に係る油供給装置を模式的に示したブロック図である。
【図２】本考案の油供給装置が検出器、ブロッキング除去セットを配置する概略構成図である。
【図３】本考案の一実施形態に係る油供給装置を模式的に示した傾斜図（一）である。
【図４】本考案の一実施形態に係る油供給装置を模式的に示した傾斜図（二）である。
【図５】本考案の検出器の部分を示す展開概略図である。
【図６】本考案の検出器の部分の分解を示す平面概略図である。
【図７】図５のＶＩＩ−ＶＩＩ線に沿う断面概略図（バルブステムが縮む状態）である。
【図８】本考案のバルブステムが伸びた時とブロッキング検出器の位置関係を示す概略図である。
【図９】本考案の他の実施形態に係る油供給装置を模式的に示したブロック図である。
【考案を実施するための形態】
【００１２】
以下、本考案の実施の形態について、図面を参照して詳細に説明する。なお、本考案は以下の例に限定されるものではなく、本考案の要旨を逸脱しない範囲で、任意に変更可能であることは言うまでもない。
【第１実施形態】
【００１３】
油供給装置は、注油機１及び検出器３を備え、前記検出器３は複数の油室２２１と、複数のブロッキング検出器２３と、処理モジュール２４とを有している。前記検出器２は前記給油部２１を介して前記注油機１に連結し、前記給油部２１は前記複数の油室２２１に連通し、前記複数のブロッキング検出器２３は前記処理モジュール２４に電気的に接続し、前記複数のブロッキング検出器２３は各油室２２１の油輸送状態をそれぞれ検出するために用いている。前記処理モジュール２４は前記複数のブロッキング検出器２３の検出の結果に基づいて各油室２２１内の油が正確に輸送されているか否かを判断し、油室２２１内の油が正確に輸送されていない場合は対応する油路がブロッキングされていることが分かる。これにより、従来は油路に発生したブロッキングを第一時間に発見できないという問題を確実に解決する（図１参照）。
【第２実施形態】
【００１４】
また、本考案の第２実施形態の構成を図３、図４及び図９に示す。油供給装置は、注油機１と、エアコンプレッサー３１及びコネクタ３２を含み、前記コネクタ３２は複数の吸気口３２１及び複数の油路３２２を有し、前記複数の吸気口３２１は各複数の油路３２２との間に逆止め弁３３をそれぞれ設置し、各油路３２２の一端は前記注油機１にそれぞれ連結し、各油路３２２の他端はそれぞれ給油口３２３であるブロッキング除去セット３と、を備えている。ブロッキング除去セット３は潤滑油を供給する必要がある加工機に連結し、油路のブロッキングを除去する場合、加工機を停止せずにブロッキング除去セット３を操作して第一時間に油路のブロッキングを除去する。油路にブロッキングが発生した加工機を停止して検査し、油路のブロッキングを除去しなければならなかったという問題を確実に解決する。
【００１５】
また、注油機１は検出器２及びブロッキング除去セット３を同時に組み合わせて使用できる。
【００１６】
例えば、図２乃至図８に示すように、第１実施例では各油室２２１に連結しているブロッキング除去セット３をさらに備えている。前記ブロッキング除去セット３は前記処理モジュール２４に接続し、前記処理モジュール２４が何れか１室の油室２２１内の油が正確に輸送されていないと判断すると、前記処理モジュール２４が前記ブロッキング除去セット３に動作するように命令する。
【００１７】
或いは、第２実施例では検出器２をさらに備えている。前記注油機１及び前記ブロッキング除去セット３は検出器２を介して連結し、前記検出器２は給油部２１と、複数の油室２２１と、複数のブロッキング検出器２３と、処理モジュール２４とを有している。前記検出器２は前記給油部２１を介して前記注油機１に連結し、前記給油部２１は前記複数の油室２２１に連通している。前記複数のブロッキング検出器２３は前記処理モジュール２４に電気的に接続し、前記複数のブロッキング検出器２３は各油室２２１の潤滑油輸送状態をそれぞれ検出するために用い、前記処理モジュール２４は前記複数のブロッキング検出器２３の検出の結果に基づいて各油室２２１が属する油路がブロッキングされているか否かを判断する。前記ブロッキング除去セット３は各油室２２１に連結し、前記ブロッキング除去セット３は前記処理モジュール２４に接続している。前記処理モジュール２４が何れか１室の油室２２１が属する油路がブロッキングされていると判断すると、前記処理モジュール２４が前記ブロッキング除去セット３に動作するように命令し、ブロッキングされた油路を円滑にする。
【００１８】
前記ブロッキング除去セット３と前記処理モジュール２４との接続方式は有線でもワイヤレスでもよい。
【００１９】
本考案の各部材の電力源はバッテリーでも商用電源でもよい。
【００２０】
以下、本考案の実施形態についてさらに詳述する。まず、図２を参照すれば、検出器２が４つの油室２２１を有していることが分かり、各油室２２１に１つのブロッキング検出器２３が各々分配されている。このため、何れか１室の油室２２１が属する油路がブロッキングされた場合、処理モジュール２４が対応するブロッキング検出器２３により油路のブロッキングを検出し、人力に全く頼らずに発見できる。いくつかの例を挙げると、ブロッキング検出器２３は圧力検出器を例とし、油路が潤滑である状態と油路がブロッキングされた状態とでは圧力検出器が検出する圧力に必ず違いが生じる。よって、処理モジュール２４はその違いに基づいて油室２２１内の油が正確に輸送されているか否かを判断する。続いて、処理モジュール２４がブロッキングされた油路を確実に判断した後、処理モジュール２４がブロッキング除去セット３に動作するように命令し、ブロッキングされた油路を円滑にする。
【００２１】
上述したように、本考案はブロッキングを検出し、ブロッキングを除去するフローチャートを完全に自動化し、第一時間に油路のブロッキングを確実に除去する。従来は油路に発生したブロッキングを第一時間に除去できなかったという問題を解決する。本考案は新規性及び進歩性を確実に備えている。
【００２２】
また、図２に示すように、前記検出器２はケース２２０及び複数のバルブヘッド２２２を有している容積式分配器２２を備えている。前記複数の油室２２１は前記ケース２２０にそれぞれ位置し、前記複数のバルブヘッド２２２は前記ケース２２０に設置していると共に前記複数の油室２２１にそれぞれ連結している。各バルブヘッド２２２はバルブステム２２２１を有し、各バルブステム２２２１は油室２２１の給油及び排油に対応して伸縮し、前記複数のブロッキング検出器２３はバルブステム２２２１の延出に対応する位置にそれぞれ位置し、対応するバルブステム２２２１の伸縮頻度を検出する。図６乃至図８に示すように、容積式分配器は市場に存在する潤滑油供給設備としてよくある種類のものであり、一例を挙げると、注油機１を１０秒に１回注油するように設定すると、バルブステム２２２１が前記１０秒に対応して１回伸縮し、２０秒や３０秒等経過してもブロッキング検出器がバルブステム２２２１の伸縮を検出しなかった場合、処理モジュール２４が対応する油室２２１が正確に油輸送を行っておらず、対応する油路がブロッキングされていると判断する。
【００２３】
また、図１乃至図４に示すように、前記ブロッキング除去セット３はエアコンプレッサー３１及びコネクタ３２を備え、前記コネクタ３２は複数の吸気口３２１及び複数の油路３２２を有し、前記複数の吸気口３２１は各複数の油路３２２との間に逆止め弁３３をそれぞれ設置し、各油路３２２の一端は前記検出器２の各油室２２１にそれぞれ連通し、各油路３２２の他端はそれぞれ給油口３２３である。給油口３２３は加工機に潤滑油を供給する油路に連接している。ブロッキング除去セット３がブロッキングを除去する方式は、エアコンプレッサー３１の高圧ガスを油路３２２に進入させ、油路に進入する中でブロッキング物を吹き飛ばすことでブロッキングを解決する。油路３２２に進入する高圧ガスを制御する方式は、処理モジュール２４がエアコンプレッサー３１のエアバルブを制御する等の方式であり、逆止め弁３３を設置することにより高圧ガスを油路３２２内にのみ流し、油が油路３２２を経由して吸気口３２１に流れてエアコンプレッサー３１に給油しないようにしている。
【００２４】
また、図１乃至図４に示すように、前記処理モジュール２４には前記検出器２の各油室２２１内の油が正確に輸送されているか否かを表示するためのディスプレイ２５を電気的に接続し、各油室２２１の対応する油路のブロッキングの状況の記録を観察可能にしている。
【００２５】
また、図１乃至図４に示すように、前記処理モジュール２４にはブザー２６を電気的に接続している。前記処理モジュール２４が何れか１室の油室２２１内の油が正確に輸送されていないと判断した場合、前記処理モジュール２４が前記ブザー２６に動作するように命令する。
【００２６】
また、図１乃至図４に示すように、前記処理モジュール２４にはワイヤレス送信機２７を電気的に接続している。前記処理モジュール２４が何れか１室の油室２２１内の油が正確に輸送されていないと判断した場合、前記処理モジュール２４が前記ワイヤレス送信機２７にブロッキングメッセージ信号を発信するように命令し、ブロッキングメッセージ信号はワイヤレスネットワークを経由する等の方式でマッチングしているパソコンや携帯電話等に伝送する。
【００２７】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２８】
１  注油機
２  検出器
２１  給油部
２２  容積式分配器
２２０  ケース
２２１  油室
２２２  バルブヘッド
２２２１  バルブステム
２３  ブロッキング検出器
２４  処理モジュール
２５  ディスプレイ
２６  ブザー
２７  ワイヤレス送信機
３  ブロッキング除去セット
３１  エアコンプレッサー
３２  コネクタ
３２１  吸気口
３２２  油路
３２３  給油口
３３  逆止め弁
【図１】
0003232121.tif 000003
【図２】
0003232121.tif 000004
【図３】
0003232121.tif 000005
【図４】
0003232121.tif 000006
【図５】
0003232121.tif 000007
【図６】
0003232121.tif 000008
【図７】
0003232121.tif 000009
【図８】
0003232121.tif 000010
【図９】
0003232121.tif 000011